【手続補正書】
【提出日】平成16年12月20日(2004.12.20)
【手続補正１】
【補正対象書類名】明細書
【補正対象項目名】特許請求の範囲
【補正方法】変更
【補正の内容】
【特許請求の範囲】
【請求項１】
遊技球が入球することにより遊技者に有利な遊技状態とする特定領域と、
遊技球を所定数貯留又は解除可能な貯留可能部とを同一役物内に設け、
前記役物内に入球した遊技球は、前記貯留可能部に貯留されている遊技球上を通ることにより、前記特定領域に導かれる構成であり、
前記役物内に入球し、前記貯留可能部に貯留されなかった遊技球又は貯留を解除された遊技球が入賞する可能性がある入賞口を、前記役物内又は前記役物の排出口若しくは該排出口付近に備え、
前記役物内に入球された遊技球が該役物内の前記貯留可能部に貯留される貯留可能数、貯留可能場所又は貯留可能時間を変化させることが可能な構成とし、
前記貯留可能部に貯留される貯留数、貯留場所又は貯留時間の前記変化により、前記特定領域への入球確率を変化させることを特徴とする弾球遊技機。
【請求項２】
遊技球が始動領域に進入したことに応じて当たり外れを判定する当否判定手段と、
該当否判定手段の判定結果を表示する表示手段と、を備え、
前記役物内に入球された遊技球が該役物内の前記貯留可能部に貯留される貯留可能数、貯留可能場所又は貯留可能時間を、前記表示手段に表示される判定結果に応じて変化させることを特徴とする請求項１記載の弾球遊技機。
【請求項３】
前記役物内に入球された遊技球が該役物内の前記貯留可能部に貯留される貯留可能数、貯留可能場所又は貯留可能時間を、前記表示手段に表示される判定結果に応じて変化させると共に、該変化による遊技状態の移行又は貯留可能数、貯留可能場所又は貯留可能時間を、前記表示手段、音声出力装置又はランプ出力装置により報知することを特徴とする請求項１又は２に記載の弾球遊技機。
【請求項４】
前記貯留可能部に貯留された遊技球の解除数、解除場所又は解除時期を、前記表示手段に表示される図柄の種類に従って変化させると共に、該変化による遊技状態の移行又は解除結果を前記表示手段、前記音声出力装置又は前記ランプ出力装置により報知することを特徴とする請求項１及至３いずれかに記載の弾球遊技機。
【手続補正２】
【補正対象書類名】明細書
【補正対象項目名】０００４
【補正方法】変更
【補正の内容】
【０００４】
【課題を解決するための手段】
上記課題を解決するため、貯留可能部を備えた役物を設置し、遊技球の挙動に変化を持たせると共に、貯留した遊技球により大当たり又は権利獲得等の発生する確率を変化させることにより、大当たり又は権利獲得等の最終的な目的を達成するまでの過程にも意味を持たせ、段階的な目的を遊技者に付与することにより興趣溢れる遊技を展開できる弾球遊技機を提供する。
そこで、請求項１記載の発明は、遊技球が入球することにより遊技者に有利な遊技状態とする特定領域と、遊技球を所定数貯留又は解除可能な貯留可能部とを同一役物内に設け、前記役物内に入球した遊技球は、前記貯留可能部に貯留されている遊技球上を通ることにより、前記特定領域に導かれる構成であり、前記役物内に入球し、前記貯留可能部に貯留されなかった遊技球又は貯留を解除された遊技球が入賞する可能性がある入賞口を、前記役物内又は前記役物の排出口若しくは該排出口付近に備え、前記役物内に入球された遊技球が該役物内の前記貯留可能部に貯留される貯留可能数、貯留可能場所又は貯留可能時間を変化させることが可能な構成とし、前記貯留可能部に貯留される貯留数、貯留場所又は貯留時間の前記変化により、前記特定領域への入球確率を変化させることを特徴とする弾球遊技機である。
【手続補正３】
【補正対象書類名】明細書
【補正対象項目名】０００８
【補正方法】変更
【補正の内容】
【０００８】
請求項２記載の発明は、遊技球が始動領域に進入したことに応じて当たり外れを判定する当否判定手段と、該当否判定手段の判定結果を表示する表示手段と、を備え、前記役物内に入球された遊技球が該役物内の前記貯留可能部に貯留される貯留可能数、貯留可能場所又は貯留可能時間を、前記表示手段に表示される判定結果に応じて変化させることを特徴とする請求項１記載の弾球遊技機が好ましい。
貯留可能部を備える役物内又はこの役物の排出口や排出口付近に、遊技球が入賞することにより賞球を払い出す等の遊技者に有利な遊技を展開する入賞口を設けることができる。これにより、役物内に入球したにも係わらず、貯留されなかった遊技球、貯留が解除された遊技球又は特定領域に入賞しなかった遊技球についても遊技者に楽しみを与え、遊技形態を幅広くすることができる。なお、入賞口には役物に入球していない遊技球も入賞できる構成としても良い。この入賞口は、液晶画面等の可視表示装置により表示される表示形態等の所定条件により、開閉させることが好ましい。入賞口は開き扉を受口とする従来の大入賞口（アタッカー）の構造が好ましいが、それに限定されるものではない。例えば、判定結果により３桁同一の静止図柄で揃った場合等に開放させ、入賞口の開放時間又は開放回数等は静止図柄の種類によって変化させることが挙げられる。なお、所定条件は上記に限らず、大当たり回数又は遊技時間等により定期的に開閉させても良い。このように、入賞口を開閉させることにより、遊技がさらに興趣溢れるものとなる。
【手続補正４】
【補正対象書類名】明細書
【補正対象項目名】０００９
【補正方法】変更
【補正の内容】
【０００９】
ここでは、液晶画面等の可視表示装置により表示される図柄の種類等の表示形態（例えば、大当たり表示等の特定の表示を行った場合、又は外れ表示であっても特定の図柄を表示した場合等）に従い、定期的又は不定期に貯留数、貯留場所又は貯留時間を変化させることが考えられる。特に液晶画面等の可視表示装置により表示される表示形態に従って、貯留数、貯留場所又は貯留時間を変化させると、液晶画面等の可視表示装置に表示される表示形態と遊技の展開とを関連させることができ、効果的である。具体的には、判定結果の静止図柄の種類（例えば、特定図柄又は確率変動図柄等）又は判定結果とは全く関係なく出現するキャラクタ図柄等の種類に起因して、予め貯留可能部を解除しておくことによって貯留数、貯留場所又は貯留時間を変化させることができる。例えば表示態様としては、確定表示した図柄に含まれている貯留用特定図柄（例えば「７」）の数の貯留数を増加させていったり（例えば、「４７７」であれば貯留数を２ヶ所増加させる等）、図柄変動中に貯留完成を予告するキャラクタ図柄を出現させたりすること等が例示できる。
【手続補正５】
【補正対象書類名】明細書
【補正対象項目名】００１１
【補正方法】変更
【補正の内容】
【００１１】
請求項３記載の発明は、前記役物内に入球された遊技球が該役物内の前記貯留可能部に貯留される貯留可能数、貯留可能場所又は貯留可能時間を、前記表示手段に表示される判定結果に応じて変化させると共に、該変化による遊技状態の移行又は貯留可能数、貯留可能場所又は貯留可能時間を、前記表示手段、音声出力装置又はランプ出力装置により報知することを特徴とする請求項１又は２に記載の弾球遊技機が好ましい。
遊技状態とは、可視表示装置の表示形式、役物の可動態様又は賞球数等をいう。ここでは、貯留可能部の動作の変化又は結果による以外にも、貯留可能部に貯留された遊技球の数、貯留されている時間又は貯留されている場所等の違いで、遊技状態に変化を加える構成としても良い。
報知とは、液晶画面等の可視表示装置で、特定領域の開放や大当たり発生等の表示を行うだけではなく、貯留した遊技球の解除、貯留数の決定等の情報も表示して報知することをいう。また、貯留させた場所によって特定領域への入賞確率が変化する場合等の遊技説明を表示してもよい。なお、音声出力装置と併せて報知すればより効果的である。また、各種ＬＥＤ又はランプ等の光により報知することも可能である。
【手続補正６】
【補正対象書類名】明細書
【補正対象項目名】００１２
【補正方法】変更
【補正の内容】
【００１２】
請求項４記載の発明は、前記貯留可能部に貯留された遊技球の解除数、解除場所又は解除時期を、前記表示手段に表示される図柄の種類に従って変化させると共に、該変化による遊技状態の移行又は解除結果を前記表示手段、前記音声出力装置又は前記ランプ出力装置により報知することを特徴とする請求項１及至３いずれかに記載の弾球遊技機が好ましい。
ここでは、液晶画面等の可視表示装置により表示される図柄の種類等の表示形態（例えば、大当たり表示等の特定の表示を行った場合、又は外れ表示であっても特定の図柄を表示した場合等）に従い、定期的又は不定期に解除数、解除場所又は解除時期を変化させることが考えられる。特に液晶画面等の可視表示装置により表示される表示形態に従って、解除数、解除場所又は解除時期を変化させると、液晶画面等の可視表示装置に表示される表示形態と遊技の展開とを関連させることができ、効果的である。具体的には、判定結果の静止図柄の種類又は判定結果とは全く関係なく出現するキャラクタ図柄等の種類に起因して、解除数、解除場所又は解除時期を変化させることが挙げられる。例えば表示形態としては、確定表示した図柄に解除用特定図柄（例えば「６」）が含まれていたら全て同時に解除したり、解除用特定図柄の数に応じて解除したり（例えば、「４６６」であれば２ヶ所解除する等）、図柄変動中に解除を予告するキャラクタ図柄を出現させたりする等、遊技者にリスクのある表示態様に起因して貯留されている遊技球を全て同時に解除することが挙げられる。
【手続補正７】
【補正対象書類名】明細書
【補正対象項目名】００１４
【補正方法】変更
【補正の内容】
【００１４】
なお、請求項２乃至４に記載の発明においては、液晶画面等の可視表示装置により表示される図柄の種類等の表示形態に従い変化させる以外にも、（１）入賞口、入球口若しくは役物内に入賞若しくは入球した遊技球の数又は発射した遊技球の数、（２）遊技の経過時間（例えば、時間を計測して５分毎等の所定若しくは適宜時間毎、又は前回の大当たり発生から５分後等の所定若しくは適宜時間経過毎等）、（３）遊技中の大当たり発生回数又は権利発生回数、等の所定条件に従って変化させても構わない。